(57)【要約】  液晶表示装置（１００）は、液晶パネル（１０）と、液晶パネル（１０）に接続された液晶パネル駆動用ＦＰＣ（２０）と、液晶パネル（１０）の裏面（１２）側に配置され、液晶パネル（１０）の裏面（１２）側から液晶パネル（１０）の表面（１１）側に向かって光を照射するバックライトユニット（３０）と、一端（４１）がバックライトユニット（３０）に接続され、他端（４２）が液晶パネル駆動用ＦＰＣ（２０）に接続されたバックライト駆動用ＦＰＣ（４０）と、を備え、バックライト駆動用ＦＰＣ（４０）は、一端（４１）と他端（４２）との間に位置し、バックライト駆動用ＦＰＣ（４０）の厚さ方向において撓むように湾曲する長さ調節領域（４３）を含む。バックライト駆動用ＦＰＣおよび液晶パネル駆動用ＦＰＣ同士を容易に接合することができる。
2012147682.tif 000002
【特許請求の範囲】
【請求項１】
液晶パネル（１０）と、
前記液晶パネルに接続された液晶パネル駆動用フレキシブルプリント回路基板（２０）と、
前記液晶パネルの裏面（１２）側に配置され、前記液晶パネルの前記裏面側から前記液晶パネルの表面（１１）側に向かって光を照射するバックライトユニット（３０）と、
一端（４１）が前記バックライトユニットに接続され、他端（４２）が前記液晶パネル駆動用フレキシブルプリント回路基板に接続されたバックライト駆動用フレキシブルプリント回路基板（４０，４０Ａ）と、を備え、
前記バックライト駆動用フレキシブルプリント回路基板は、前記一端（４１）と前記他端（４２）との間に位置し、前記バックライト駆動用フレキシブルプリント回路基板の厚さ方向において撓むように湾曲する長さ調節領域（４３，４３Ａ）を含む、
液晶表示装置。
【請求項２】
前記長さ調節領域（４３）は、前記バックライト駆動用フレキシブルプリント回路基板の厚さ方向において略Ｕ字状に撓むように湾曲する、
請求項１に記載の液晶表示装置。
【請求項３】
前記バックライト駆動用フレキシブルプリント回路基板は、前記一端が前記バックライトユニットの前記液晶パネルとは反対側に接続され、
前記長さ調節領域（４３Ａ）は、前記バックライト駆動用フレキシブルプリント回路基板の厚さ方向において略Ｓ字状に撓むように湾曲する、
請求項１に記載の液晶表示装置。
【請求項４】
前記長さ調節領域（４３，４３Ａ）が最も湾曲した状態において、前記液晶パネル駆動用フレキシブルプリント回路基板からの前記長さ調節領域の高さ（Ｈ２）は、前記液晶パネル駆動用フレキシブルプリント回路基板からの前記バックライトユニットの高さ（Ｈ１）以下である、
請求項１から３のいずれかに記載の液晶表示装置。
【請求項５】
請求項１から４のいずれかに記載の液晶表示装置（１００，１００Ａ）に備えられる、
バックライト駆動用フレキシブルプリント回路基板（４０，４０Ａ）。
【発明の詳細な説明】
【技術分野】
【０００１】
本発明は、液晶表示装置およびその液晶表示装置に備えられるバックライト駆動用フレキシブルプリント回路基板に関する。
【背景技術】
【０００２】
特開２００４−２５２３３９号公報（特許文献１）に開示されるように、一般的な液晶表示装置は、液晶パネルおよびバックライトユニットを備える。液晶パネルおよびバックライトユニットは、フレキシブルプリント回路基板（ＦＰＣ：Flexible  Printed  Circuits）によって互いに電気的に接続される。以下、フレキシブルプリント回路基板を、ＦＰＣとも称する。【０００３】
図５および図６を参照して、一般的な液晶表示装置１００Ｚについて説明する。図５は、液晶表示装置１００Ｚを示す平面図である。図６は、液晶表示装置１００Ｚを示す側面図である。【０００４】
図５に示すように、液晶表示装置１００Ｚは、筐体（図示せず）の内部に、液晶パネル１０、液晶パネル駆動用フレキシブルプリント回路基板２０（以下、液晶パネル駆動用ＦＰＣ２０とも称する）、バックライトユニット３０、およびバックライト駆動用フレキシブルプリント回路基板４０Ｚ（以下、バックライト駆動用ＦＰＣ４０Ｚとも称する）を備える。【０００５】
図６に示すように、液晶パネル１０の表面１１に、液晶パネル駆動用ＦＰＣ２０の一端２１が接続される。液晶パネル駆動用ＦＰＣ２０は、一端２１側から他端２２側に向かって、液晶パネル１０から遠ざかる方向に延在する。液晶パネル駆動用ＦＰＣ２０の表面２３には、接続用の端子電極２４が設けられる。【０００６】
バックライトユニット３０は、液晶パネル１０の裏面１２側に配置される。バックライトユニット３０は、表面３１および裏面３２を有し、ＬＥＤ（Light  Emitting  Diode）（図示せず）および導光板（図示せず）などを内蔵する。【０００７】
バックライトユニット３０の端部３３側における表面３１に、バックライト駆動用ＦＰＣ４０Ｚの一端４１が接続される。バックライト駆動用ＦＰＣ４０Ｚの他端４２は、はんだ２５によって、液晶パネル駆動用ＦＰＣ２０の端子電極２４と接合される。【０００８】
バックライトユニット３０から照射された光は、液晶パネル１０の裏面１２側から表面１１側に向かって液晶パネル１０を透過する。液晶パネル１０の液晶に表示された情報は、液晶パネル１０を透過した光によって、外部から視認されることが可能となる。
【先行技術文献】
【特許文献】
【０００９】
【特許文献１】特開２００４−２５２３３９号公報
【発明の概要】
【発明が解決しようとする課題】
【００１０】
図７を参照して、一般的な液晶表示装置１００Ｚを組み立てる際に、液晶パネル駆動用ＦＰＣ２０は、液晶パネル１０に対して（たとえば矢印ＡＲ１方向に）ずれた状態で配設される場合がある。バックライト駆動用ＦＰＣ４０Ｚも、バックライトユニット３０に対して（たとえば矢印ＡＲ２方向に）ずれた状態で配設される場合がある。【００１１】
バックライト駆動用ＦＰＣ４０Ｚの他端４２が液晶パネル駆動用ＦＰＣ２０の端子電極２４（接続位置）の近傍にまで届かない場合、バックライト駆動用ＦＰＣ４０Ｚおよび液晶パネル駆動用ＦＰＣ２０同士を接合することは極めて困難となる。【００１２】
本発明は、バックライト駆動用ＦＰＣおよび液晶パネル駆動用ＦＰＣ同士を容易に接合することが可能な液晶表示装置、ならびにその液晶表示装置に備えられるバックライト駆動用ＦＰＣを提供することを目的とする。
【課題を解決するための手段】
【００１３】
本発明に基づく液晶表示装置は、液晶パネルと、上記液晶パネルに接続された液晶パネル駆動用フレキシブルプリント回路基板と、上記液晶パネルの裏面側に配置され、上記液晶パネルの上記裏面側から上記液晶パネルの表面側に向かって光を照射するバックライトユニットと、一端が上記バックライトユニットに接続され、他端が上記液晶パネル駆動用フレキシブルプリント回路基板に接続されたバックライト駆動用フレキシブルプリント回路基板と、を備え、上記バックライト駆動用フレキシブルプリント回路基板は、上記一端と上記他端との間に位置し、上記バックライト駆動用フレキシブルプリント回路基板の厚さ方向において撓むように湾曲する長さ調節領域を含む。【００１４】
好ましくは、上記長さ調節領域は、上記バックライト駆動用フレキシブルプリント回路基板の厚さ方向において略Ｕ字状に撓むように湾曲する。【００１５】
好ましくは、上記バックライト駆動用フレキシブルプリント回路基板は、上記一端が上記バックライトユニットの上記液晶パネルとは反対側に接続され、上記長さ調節領域は、上記バックライト駆動用フレキシブルプリント回路基板の厚さ方向において略Ｓ字状に撓むように湾曲する。【００１６】
好ましくは、上記長さ調節領域が最も湾曲した状態において、上記液晶パネル駆動用フレキシブルプリント回路基板からの上記長さ調節領域の高さは、上記液晶パネル駆動用フレキシブルプリント回路基板からの上記バックライトユニットの高さ以下である。【００１７】
本発明に基づくバックライト駆動用フレキシブルプリント回路基板は、本発明に基づく上記の液晶表示装置に備えられるものである。
【発明の効果】
【００１８】
本発明によれば、バックライト駆動用ＦＰＣおよび液晶パネル駆動用ＦＰＣ同士を容易に接合することが可能な液晶表示装置、ならびにその液晶表示装置に備えられるバックライト駆動用ＦＰＣを得ることが可能となる。
【図面の簡単な説明】
【００１９】
【図１】実施の形態１における液晶表示装置を示す斜視図である。
【図２】実施の形態１における液晶表示装置を示す側面図である。
【図３】実施の形態２における液晶表示装置を示す側面図である。
【図４】一般的な液晶表示装置に用いられるフレキシブルプリント回路基板を示す平面図である。
【図５】一般的な液晶表示装置を示す平面図である。
【図６】一般的な液晶表示装置を示す側面図である。
【図７】一般的な液晶表示装置を示す他の側面図である。
【発明を実施するための形態】
【００２０】
本発明に基づいた各実施の形態について、以下、図面を参照しながら説明する。各実施の形態の説明において、個数、量などに言及する場合、特に記載がある場合を除き、本発明の範囲は必ずしもその個数、量などに限定されない。各実施の形態の説明において、同一の部品、相当部品に対しては、同一の参照番号を付し、重複する説明は繰り返さない場合がある。
【００２１】
［実施の形態１］
図１および図２を参照して、本実施の形態における液晶表示装置１００について説明する。図１は、液晶表示装置１００を示す斜視図である。図２は、液晶表示装置１００を示す側面図である。説明上の便宜のため、図２においては、図１における筐体５０が図示されていない。
【００２２】
図１に示すように、液晶表示装置１００は、筐体５０（ベゼルとも称される）によってその外形が構成される。液晶表示装置１００は、たとえば携帯電話である。筐体５０の表面には、複数の操作キー５２が設けられる。筐体５０に設けられた開口部５０Ｈから、液晶パネル１０の一部が露出している。
【００２３】
図２に示すように、液晶表示装置１００は、筐体５０（図１参照）の内部に、液晶パネル１０、液晶パネル駆動用ＦＰＣ２０、バックライトユニット３０、およびバックライト駆動用ＦＰＣ４０を備える。
【００２４】
詳細は図示されないが、液晶パネル１０は、表偏光板、ＣＦ（Color  Filter）ガラス、ＴＦＴ（Thin  Film  Transistor）ガラス、および裏偏光板などから構成される。液晶パネル１０の表面１１に、液晶パネル駆動用ＦＰＣ２０の一端２１が接続される。液晶パネル駆動用ＦＰＣ２０は、一端２１側から他端２２側に向かって、液晶パネル１０から遠ざかる方向に延在する。液晶パネル駆動用ＦＰＣ２０の表面２３には、接続用の端子電極２４が設けられる。
【００２５】
バックライトユニット３０は、液晶パネル１０の裏面１２側に配置される。バックライトユニット３０は、表面３１および裏面３２を有し、ＬＥＤ（Light  Emitting  Diode）（図示せず）および導光板（図示せず）などを内蔵する。バックライトユニット３０の端部３３側における表面３１に、バックライト駆動用ＦＰＣ４０の一端４１が接続される。バックライト駆動用ＦＰＣ４０の他端４２は、はんだ２５によって、液晶パネル駆動用ＦＰＣ２０の端子電極２４と接合される。
【００２６】
バックライトユニット３０から照射された光は、液晶パネル１０の裏面１２側から表面１１側に向かって液晶パネル１０を透過する。液晶パネル１０の液晶に表示された情報は、液晶パネル１０を透過した光によって、外部から視認されることが可能となる。液晶パネル１０およびバックライトユニット３０は、液晶パネル駆動用ＦＰＣ２０およびバックライト駆動用ＦＰＣ４０を通して互いに電気的に接続されている。所定の映像信号の入力に対し、液晶パネル１０およびバックライトユニット３０は、協働して映像を最適な状態に可視化することが可能となる。
【００２７】
ここで、本実施の形態におけるバックライト駆動用ＦＰＣ４０は、長さ調節領域４３を含む。長さ調節領域４３は、一端４１と他端４２との間に位置する。長さ調節領域４３は、バックライト駆動用ＦＰＣ４０の厚さ方向において撓むように湾曲する。本実施の形態における長さ調節領域４３は、バックライト駆動用ＦＰＣ４０の厚さ方向において略Ｕ字状に撓むように湾曲する。換言すると、長さ調節領域４３は、バックライト駆動用ＦＰＣ４０を側面方向から見て略Ｕ字状に撓むように湾曲する。
【００２８】
（作用・効果）
液晶表示装置１００を組み立てる際に、液晶パネル駆動用ＦＰＣ２０は、液晶パネル１０に対してずれた状態で配設される場合がある。バックライト駆動用ＦＰＣ４０も、バックライトユニット３０に対してずれた状態で配設される場合がある。
【００２９】
液晶表示装置１００においては、バックライト駆動用ＦＰＣ４０が長さ調節領域４３を含む。バックライト駆動用ＦＰＣ４０の他端４２が液晶パネル駆動用ＦＰＣ２０の端子電極２４（接続位置）の近傍にまで届き難い場合には、長さ調節領域４３がバックライト駆動用ＦＰＣ４０の長手方向に開くように変形することによって、バックライト駆動用ＦＰＣ４０の全体が伸長する。
【００３０】
バックライト駆動用ＦＰＣ４０の一端４１と他端４２との間隔が広がることによって、バックライト駆動用ＦＰＣ４０の他端４２は、液晶パネル駆動用ＦＰＣ２０の端子電極２４の近傍にまで容易に到達することができる。液晶表示装置１００によれば、バックライト駆動用ＦＰＣ４０および液晶パネル駆動用ＦＰＣ２０同士を容易に接合することが可能となる。
【００３１】
［変形例］
図２に示すように、長さ調節領域４３が最も湾曲した状態において、液晶パネル駆動用ＦＰＣ２０からの長さ調節領域４３の高さＨ２は、液晶パネル駆動用ＦＰＣ２０からのバックライトユニット３０の高さＨ１以下であるとよい（高さＨ２≦高さＨ１）。
【００３２】
当該構成によれば、バックライト駆動用ＦＰＣ４０の他の機器とのレイアウト性、および筐体５０（図１参照）に対する収納上の利便性が向上する。
【００３３】
［実施の形態２］
図３を参照して、本実施の形態における液晶表示装置１００Ａについて説明する。図３は、液晶表示装置１００Ａを示す側面図である。
【００３４】
液晶表示装置１００Ａは、バックライト駆動用ＦＰＣ４０Ａが長さ調節領域４３Ａを含む点において、上述の実施の形態１における液晶表示装置１００（図２参照）と異なる。
【００３５】
バックライト駆動用ＦＰＣ４０Ａにおいては、その一端４１が、バックライトユニット３０の裏面３２側における端部３３（液晶パネル１０とは反対側）に接続される。長さ調節領域４３Ａは、バックライト駆動用ＦＰＣ４０Ａの一端４１と他端４２との間に位置する。
【００３６】
本実施の形態における長さ調節領域４３Ａは、バックライト駆動用ＦＰＣ４０Ａの厚さ方向において略Ｓ字状に撓むように湾曲する。換言すると、長さ調節領域４３Ａは、バックライト駆動用ＦＰＣ４０Ａを側面方向から見て略Ｓ字状に撓むように湾曲する。
【００３７】
（作用・効果）
液晶表示装置１００Ａにおいては、バックライト駆動用ＦＰＣ４０Ａが長さ調節領域４３Ａを含む。バックライト駆動用ＦＰＣ４０Ａの他端４２が液晶パネル駆動用ＦＰＣ２０の端子電極２４の近傍にまで届き難い場合には、長さ調節領域４３Ａがバックライト駆動用ＦＰＣ４０Ａの長手方向に開くように変形することによって、バックライト駆動用ＦＰＣ４０Ａの全体が伸長する。
【００３８】
バックライト駆動用ＦＰＣ４０Ａの一端４１と他端４２との間隔が広がることによって、バックライト駆動用ＦＰＣ４０Ａの他端４２は、液晶パネル駆動用ＦＰＣ２０の端子電極２４の近傍にまで容易に到達することができる。液晶表示装置１００Ａによっても、上述の実施の形態１における液晶表示装置１００と同様に、バックライト駆動用ＦＰＣ４０Ａおよび液晶パネル駆動用ＦＰＣ２０同士を容易に接合することが可能となる。
【００３９】
［変形例］
図３に示すように、長さ調節領域４３Ａが最も湾曲した状態において、液晶パネル駆動用ＦＰＣ２０からの長さ調節領域４３Ａの高さＨ２は、液晶パネル駆動用ＦＰＣ２０からのバックライトユニット３０の高さＨ１以下であるとよい（高さＨ２≦高さＨ１）。
【００４０】
当該構成によれば、上述の実施の形態１における変形例と同様に、バックライト駆動用ＦＰＣ４０Ａの他の機器とのレイアウト性、および筐体５０（図１参照）に対する収納上の利便性が向上する。
【００４１】
以上、本発明に基づいた各実施の形態について説明したが、今回開示された各実施の形態はすべての点で例示であって制限的なものではない。
【００４２】
たとえば、上述の実施の形態１においては、バックライト駆動用ＦＰＣ４０が１つの長さ調節領域４３を含むという態様に基づき説明したが、長さ調節領域４３は、バックライト駆動用ＦＰＣ４０に複数設けられていてもよい。上述の実施の形態２における長さ調節領域４３Ａも、バックライト駆動用ＦＰＣ４０Ａに複数設けられていてもよい。これらの構成によっても、上記同様の作用および効果を得ることができる。
【００４３】
また、上述の各実施の形態においては、液晶パネル駆動用ＦＰＣ２０およびバックライト駆動用ＦＰＣ４０を互いに接続するために、はんだ２５を利用するという態様に基づき説明したが、液晶パネル駆動用ＦＰＣ２０およびバックライト駆動用ＦＰＣ４０は、いわゆるコネクタ接続によって互いに接続されてもよい。当該構成によっても、上述の各実施の形態における長さ調節領域４３，４３Ａが、バックライト駆動用ＦＰＣ４０，４０Ａの厚さ方向において撓むように湾曲することによって、上記同様の作用および効果を得ることが可能となる。
【００４４】
なお、冒頭に説明した特開２００４−２５２３３９号公報（特許文献１）には、図４に示すようなＦＰＣ４００が開示される。図４は、このＦＰＣ４００を示す平面図である。ＦＰＣ４００は、その厚さ方向に撓むようには構成されていない。ＦＰＣ４００の内部に設けられた配線４０１および配線４０２には、湾曲の内側と湾曲の外側とで圧縮応力および引張応力が負荷としてそれぞれ作用する。配線４０１および配線４０２に作用する応力の差が原因となって、配線４０１および配線４０２は湾曲部分において断線し易い。
【００４５】
これに対して、上述の実施の形態１，２におけるバックライト駆動用ＦＰＣ４０，４０Ａにおいては、長さ調節領域４３，４３Ａが、バックライト駆動用ＦＰＣ４０，４０Ａの厚さ方向において撓むように湾曲する。内部の配線に作用する応力の差は内側と外側とで実質的には存在していないため、バックライト駆動用ＦＰＣ４０，４０Ａは断線し難いという特徴をも有する。
【００４６】
このように、本発明の技術的範囲は請求の範囲によって示され、請求の範囲と均等の意味および範囲内でのすべての変更が含まれることが意図される。
【符号の説明】
【００４７】
１０  液晶パネル、１１，２３，３１  表面、１２，３２  裏面、２０  液晶パネル駆動用フレキシブルプリント回路基板（液晶パネル駆動用ＦＰＣ）、２１，４１  一端、２２，４２  他端、２４  端子電極、２５  はんだ、３０  バックライトユニット、３３  端部、４０，４０Ａ，４０Ｚ  バックライト駆動用フレキシブルプリント回路基板（バックライト駆動用ＦＰＣ）、４３，４３Ａ  長さ調節領域、５０  筐体、５０Ｈ  開口部、５２  操作キー、１００，１００Ａ，１００Ｚ  液晶表示装置、４０１，４０２  配線、ＡＲ１，ＡＲ２  矢印、Ｈ１，Ｈ２  高さ。
【図１】
2012147682.tif 000003
【図２】
2012147682.tif 000004
【図３】
2012147682.tif 000005
【図４】
2012147682.tif 000006
【図５】
2012147682.tif 000007
【図６】
2012147682.tif 000008
【図７】
2012147682.tif 000009
【国際調査報告】
2012147682.tif 000010
2012147682.tif 000011
2012147682.tif 000012
2012147682.tif 000013